(57)【要約】【課題】  非実働時間の短縮を実現するライブラリ装置を提供する。【解決手段】  ライブラリ装置は、収納物を収納可能な収納口からみて奥行き方向には複数セルかつ高さ方向には複数段に亘って、収納体に収納される前記収納物に関して、当該収納物の前記収納口側に面するように、当該収納体を挿抜可能な挿抜口付近に設けられ、通過する前記収納物にそれぞれ設けられた識別情報を読み取る第１の読み取り部と、前記収納口側よりも奥の各セルに収納される前記収納物に面するように、前記挿抜口付近に設けられ、通過する前記収納物にそれぞれ設けられた識別情報を読み取る第２の読み取り部とを備える。【選択図】      図３Ａ
2014146391.tif 000002
【特許請求の範囲】
【請求項１】
収納物を収納可能な収納口からみて奥行き方向には複数セルかつ高さ方向には複数段に亘って、収納体に収納される前記収納物に関して、当該収納物の前記収納口側に面するように、当該収納体を挿抜可能な挿抜口付近に設けられ、通過する前記収納物にそれぞれ設けられた識別情報を読み取る第１の読み取り部と、
前記収納口側よりも奥の各セルに収納される前記収納物に面するように、前記挿抜口付近に設けられ、通過する前記収納物にそれぞれ設けられた識別情報を読み取る第２の読み取り部と
を備えたライブラリ装置。
【請求項２】
前記第２の読み取り部は、
前記収納体の最下段かつ前記収納口側よりも奥の各セルに収納される前記収納物に面するように設けられ、通過する前記収納物にそれぞれ設けられた識別情報を読み取る第１のセンサと、
前記最下段を除く段かつ前記収納口側よりも奥の各セルに収納される前記収納物に面して挿抜方向に挿入される棒と、当該棒の前記収納体の挿抜口側に設けられ、通過する前記収納物にそれぞれ設けられた識別情報を読み取る第２のセンサとを含む棒状読み取り部とを含む
請求項１記載のライブラリ装置。
【請求項３】
前記収納体は、前記第２の読み取り部に含まれる棒が挿入されるスリットを備える
請求項２記載のライブラリ装置。
【請求項４】
前記収納体の前記収納口に対向する面と向き合う位置に、当該収納体に格納される収納物の有無を検出する有無検出部をさらに備え、
前記第１の読み取り部および前記第２の読み取り部により読み取られた識別情報と、前記有無検出部が検出した収納物の有無とに基づいて、当該識別情報に関する不正の有無を検出する
請求項１ないし請求項３のいずれか１項記載のライブラリ装置。
【請求項５】
前記収納体が収納する収納物と収納物の間に対応する位置に、当該収納体の挿入を停止するロック部をさらに備え、
前記不正が無いことを検出するのに応じて、前記ロック部による停止を解除する
請求項４記載のライブラリ装置。
【請求項６】
収納物を収納可能な収納口からみて奥行き方向には複数セルかつ高さ方向には複数段に亘って、収納体に収納される前記収納物に関して、当該収納物の前記収納口側に面するように、当該収納体を挿抜可能な挿抜口付近に設けられ、通過する前記収納物にそれぞれ設けられた識別情報を第１の読み取り部により読み取り、
前記収納口側よりも奥の各セルに収納される前記収納物に面するように、前記挿抜口付近に設けられ、通過する前記収納物にそれぞれ設けられた識別情報を第２の読み取り部により読み取る
識別情報読み取り方法。
【発明の詳細な説明】
【技術分野】
【０００１】
本発明は、複数の記録媒体を収納すると共に、当該記録媒体に対するデータの読み書きを行うライブラリ装置および記録媒体に設けられた識別情報の読み取り方法に関する。
【背景技術】
【０００２】
コンピュータで利用するプログラムやデータを高い信頼性を担保して保存するために、磁気テープライブラリ装置等のライブラリ装置が用いられる。
【０００３】
磁気テープライブラリ装置では、記録媒体である磁気テープとリールとを一体化したカートリッジが交換可能に用いられる。ライブラリ装置は、このようなカートリッジを複数収容するカートリッジ収納棚（以下の説明では、「マガジン」と称する）と、記録媒体に対する読み書きを実行するドライブ装置と、記録媒体をマガジンとドライブ間で搬送するアクセッサ機構とを備えている。
【０００４】
マガジンは、内部が複数のセルに分割されており、各々のセルにはカートリッジが１つずつ収容される。
【０００５】
アクセッサ機構は、任意のマガジンの任意のセルに収容されているカートリッジを取り出すと共にそれをドライブ装置へセットする動作と、ドライブ装置から取り出したカートリッジを、任意のマガジンの任意のセルに収容する動作とを行う。
【０００６】
このようなライブラリ装置においては、ユーザがマガジンを引き出して装置外へ取り出すと共にカートリッジを交換し、交換後のカートリッジが装着されたマガジンを装置に挿入することにより、カートリッジの交換が実施される。
【０００７】
このようにカートリッジの交換が実施された後、ライブラリ装置はインベントリ処理を実行する必要がある。すなわち、ライブラリ装置は、カートリッジに設けられたバーコードから識別子を読み取るなどの方法により、収容されている全てのカートリッジの情報を取得すると共に、取得した情報をライブラリ装置内の記憶部に記憶するインベントリ処理を行う必要がある。
【０００８】
しかしながら、記録媒体に格納されるデータ量の増大に伴い、多数の記録媒体が高密度実装されるようになり、その結果、インベントリ処理の実行時間が増大すると共にライブラリ装置の非実働時間が増大するという問題がある。
【０００９】
例えば、特許文献１は、マガジン挿入時のインベントリ時間の短縮を実現するライブラリ装置を開示する。具体的には、当該ライブラリ装置は、アクセッサ機構が備えるセンサやバーコードリーダを有効に活用する。マガジンをライブラリ装置から取り出した際に、アクセッサ機構をマガジン挿入口まで移動しておき、マガジンが挿入された際にアクセッサに搭載されるセンサやバーコードリーダを使用することにより、カートリッジの識別情報を読み取る。
【先行技術文献】
【特許文献】
【００１０】
【特許文献１】特開２０１１−１００５０４号公報
【発明の概要】
【発明が解決しようとする課題】
【００１１】
しかしながら、上記特許文献１に開示されるライブラリ装置では、以下のような課題がある。すなわち、マガジンにカートリッジが多段に格納されている場合や、マガジンの同じカラムの奥行き方向に複数巻カートリッジが格納できるマガジンの場合、すべての段あるいは奥側に格納されているカートリッジの識別情報を読み取ることができない。なお、マガジンの同じカラムの奥行き方向に複数巻カートリッジが格納できるマガジンの構造を、本願の以下の説明では、「ディープセル構造」と称することとする。
【００１２】
本願発明は、上記課題を鑑みてなされたものであり、非実働時間の短縮を実現するライブラリ装置等を提供することを主要な目的とする。
【課題を解決するための手段】
【００１３】
本発明の第１のライブラリ装置は、収納物を収納可能な収納口からみて奥行き方向には複数セルかつ高さ方向には複数段に亘って、収納体に収納される前記収納物に関して、当該収納物の前記収納口側に面するように、当該収納体を挿抜可能な挿抜口付近に設けられ、通過する前記収納物にそれぞれ設けられた識別情報を読み取る第１の読み取り部と、前記収納口側よりも奥の各セルに収納される前記収納物に面するように、前記挿抜口付近に設けられ、通過する前記収納物にそれぞれ設けられた識別情報を読み取る第２の読み取り部とを備える。
【００１４】
本発明の第１の識別情報読み取り方法は、収納物を収納可能な収納口からみて奥行き方向には複数セルかつ高さ方向には複数段に亘って、収納体に収納される前記収納物に関して、当該収納物の前記収納口側に面するように、当該収納体を挿抜可能な挿抜口付近に設けられ、通過する前記収納物にそれぞれ設けられた識別情報を第１の読み取り部により読み取り、前記収納口側よりも奥の各セルに収納される前記収納物に面するように、前記挿抜口付近に設けられ、通過する前記収納物にそれぞれ設けられた識別情報を第２の読み取り部により読み取る。
【発明の効果】
【００１５】
本願発明によれば、ライブラリ装置における非実働時間の短縮を実現できる。
【図面の簡単な説明】
【００１６】
【図１】本発明の第１の実施形態に係るライブラリ装置の斜視図である。
【図２】本発明の第１の実施形態に係るライブラリ装置において、マガジンに格納されるカートリッジの配置を説明する図である。
【図３Ａ】本発明の第１の実施形態に係るライブラリ装置において、マガジンを取り外した状態の斜視図である。
【図３Ｂ】本発明の第１の実施形態に係るライブラリ装置において、マガジンを取り外した状態の上面図である。
【図４】本発明の第１の実施形態に係るライブラリ装置にマガジンを挿入する際の斜視図（ａ）と、当該マガジンの挿入方向からみた背面図（ｂ）である。
【図５】本発明の第２の実施形態に係るライブラリ装置の斜視図（ａ）と、ライブラリ装置に挿入されるマガジンのカラム奥行き方向からみた背面図（ｂ）である。
【発明を実施するための形態】
【００１７】
以下、本発明の実施形態について図面を参照して詳細に説明する。
【００１８】
第１の実施形態
図１は、本発明の第１の実施形態に係るライブラリ装置１００の斜視図である。本実施形態および以下の実施形態においては、記録媒体として、カートリッジに収納された磁気テープを適用した例について説明する。
【００１９】
図１に示すように、ライブラリ装置１００は、装置筐体１０１内に、磁気テープドライブ１０２、アクセッサ機構１０３およびマガジン２００を備える。以下の説明において、ライブラリ装置１００は、図１に示す如く三次元空間（Ｘ−Ｙ−Ｚ座標空間）に配置されていると仮定する。
【００２０】
マガジン２００は、それぞれカートリッジ４００に収納された磁気テープを収納するカートリッジ収納棚である。アクセッサ機構１０３は、マガジン２００内のカートリッジ４００を搬送する。磁気テープドライブ１０２は、搬送されたカートリッジ４００内の磁気テープに対してデータの読み書きを行う。
【００２１】
マガジン２００は、ユーザにより挿抜口１０６から挿抜方向（Ｘ方向）に移動可能かつ挿抜可能である。なお、ライブラリ装置１００は、装置筐体１０１の上部を覆う天板を備えるが、構成部材の説明のために以下ではその説明を省略する。
【００２２】
図２は、図１に示した本実施形態に係るライブラリ装置１００において、マガジン２００に格納されるカートリッジ４００の配置を説明する図である。マガジン２００は、カートリッジ４００収納口からみて奥行き方向の収納単位（セル）に複数巻のカートリッジ４００が格納できるディープセル構造を有する。すなわち、マガジン２００は、ディープセル構造手前側セル２０１と、ディープセル構造手前側セル２０２とを備える。マガジン２００は、セルの奥行き方向（Ｙ方向）に２巻、高さ方向（Ｚ方向）に３巻、ライブラリ装置１００の奥行き方向（Ｘ方向）の収納単位（カラム）に４巻のカートリッジを格納できる。
【００２３】
ここで、カートリッジの呼称を、説明の便宜上から以下のように定義する。すなわち、図２において、ライブラリ装置１００背面側一番奥かつディープセル構造手前側セル２０１の最上段に格納されるカートリッジをカートリッジ１１１と定義する。ライブラリ装置１００背面側一番奥かつディープセル構造奥側セル２０２の最上段に格納されるカートリッジをカートリッジ１１２と定義する。
【００２４】
また、図２において、ライブラリ装置１００背面側奥から２番目かつディープセル構造手前側セル２０１の最上段に格納されるカートリッジをカートリッジ１２１と定義する。ライブラリ装置１００背面側一番奥かつディープセル構造手前側セル２０１の中段に格納されるカートリッジをカートリッジ２２１と定義する。以下、同様にカートリッジの呼称を定義する。例えば、ライブラリ装置１００前面側かつディープセル構造手前側セル２０１の最下段に格納されるカートリッジはカートリッジ３４１と定義される。
【００２５】
図３Ａは、本実施形態に係るライブラリ装置１００において、マガジン２００を取り外した状態の斜視図である。図３Ａに示すように、ライブラリ装置１００は、棒状リーダ機構（棒状読み取り部）３０１ａ、３０１ｂを備える。棒状リーダ機構３０１ａ、３０１ｂは、それぞれ磁気テープドライブ１０２の収容ケースから挿抜口１０６（Ｘ方向）に向けて伸びる棒状の形状をなすと共に、その棒の挿抜口１０６側の端部に読み取りセンサ５０１ａ、５０２ｂ（第２のセンサ）を備える。また、ライブラリ装置１００は、底面かつ読み取りセンサ５０１ｂの下方位置に、読み取りセンサ５０１ｃ（第１のセンサ）を備える。
【００２６】
また、ライブラリ装置１００は、装置筐体１０１における挿抜口１０６付近に、読み取りセンサ５０１ｄ，５０１ｅ，５０１ｆを備える。図３Ｂは、図３Ａに示すライブラリ装置１００の上面図である。ライブラリ装置１００は、図３Ａおよび図３Ｂに示す位置に読み取りセンサ５０１ｄ，５０１ｅ，５０１ｆを備える。すなわち、読み取りセンサ５０１ｄ，５０１ｅ，５０１ｆは、挿抜口１０６付近の、マガジン２００の収納口に面する位置かつマガジン２００に収納される各カートリッジに対応する高さに設けられる。なお、読み取りセンサ５０１ｄ，５０１ｅ，５０１ｆは、図３Ｂに示す位置に設けられるために実際には図３Ａに示す角度からは見えないが、説明の便宜上、図３Ａに図示している。
【００２７】
図４（ａ）は、ライブラリ装置１００にマガジン２００を挿入する場合の斜視図である。図４（ｂ）は、マガジン２００を挿抜方向の背面側から見た図（背面２００ａ）である。図４（ｂ）に示すように、マガジン２００は、棒状リーダ機構３０１ａ，３０１ｂがそれぞれ挿入されるスリット（開口）７０１ａ，７０１ｂを備える。
【００２８】
図４（ａ）に示すように、ユーザにより、マガジン２００が装置筐体１０１に挿入されるとき、棒状リーダ機構３０１ａ、３０１ｂは、それぞれスリット７０１ａ，７０１ｂを通る。このとき、読み取りセンサ５０１ａないし５０１ｆは、マガジン２００の挿入方向の背面側（最初に装置筐体１０１に挿入される側）から手前方向に通過する、マガジン２００に格納されているカートリッジに設けられる識別情報を読み出す。なお、識別情報はカートリッジの前面側（マガジン２００の収納口側）に設けられているとする。例えば、読み取りセンサ５０１ａないし５０１ｆはバーコードリーダであり、カートリッジの前面側に設けたバーコードから読み取りセンサ５０１ａないし５０１ｆが識別情報を読み出してもよい。
【００２９】
具体的には、読み取りセンサ５０１ｆは、マガジン２００のディープセル構造手前側セル２０１のカートリッジのうち最上段のカートリッジ１１１，１２１，１３１，１４１に設けられた各識別情報を読み取る。読み取りセンサ５０１ｅは、マガジン２００のディープセル構造手前側セル２０１のカートリッジのうち中段のカートリッジ２１１，２２１，２３１，２４１に設けられた各識別情報を読み取る。読み取りセンサ５０１ｄは、マガジン２００のディープセル構造手前側セル２０１のカートリッジのうち最下段のカートリッジ３１１，３２１，３３１，３４１に設けられた各識別情報を読み取る。
【００３０】
同様に、読み取りセンサ５０１ａは、マガジン２００のディープセル構造奥側セル２０２のカートリッジのうち最上段のカートリッジ１１２，１２２，１３２，１４２に設けられた各識別情報を読み取る。読み取りセンサ５０１ｂは、マガジン２００のディープセル構造奥側セル２０２のカートリッジのうち中段のカートリッジ２１２，２２２，２３２，２４２に設けられた各識別情報を読み取る。読み取りセンサ５０１ｃは、マガジン２００のディープセル構造奥側セル２０２のカートリッジのうち最下段のカートリッジ３１２，３２２，３３２，３４２に設けられた各識別情報を読み取る。
【００３１】
上記のように、マガジン２００が装置筐体１０１に挿入されるときに、読み取りセンサ５０１ａないし５０１ｆは、各カートリッジに設けられた識別情報を読み取る。ライブラリ装置１００は、制御回路（不図示）によりカートリッジの管理、搬送等を制御される。制御回路は、アクセッサ機構１０３に含まれてもよいし、図示しない装置に含まれてもよい。読み取りセンサ５０１ａないし５０１ｆは、読み取った識別情報を、当該制御回路に供給する。制御回路は、受け取った識別情報に基づいて、ライブラリ装置１００におけるカートリッジの管理、搬送等を制御する。
【００３２】
以上のように、本第１の実施形態によれば、ライブラリ装置１００は、読み取りセンサ５０１ａ，５０１ｂを搭載した棒状リーダ機構３０１ａ、３０１ｂと、読み取りセンサ５０１ｃ，５０１ｄ，５０１ｅ，５０１ｆとを備える。各読み取りセンサ５０１ａないし５０１ｆは、マガジン２００が挿入される際に、それぞれ自センサを通過するカートリッジに設けられた識別情報を読み取ると共に、読み取った識別情報を制御回路に供給する。上記構成を採用することにより、ライブラリ装置１００は、マガジン２００の挿入と共に識別情報の読み取り（インベントリ動作）が実施できるので、マガジン２００が挿入された後のインベントリ動作が不要となる。したがって、ライブラリ装置１００におけるインベントリ動作に要する時間が不要となるので、ライブラリ装置１００の非実働時間の短縮を実現できるという効果が得られる。
【００３３】
なお、マガジン２００は、本実施形態では、セル奥行き方向に２巻、高さ方向に３巻、カラム奥行き方向に４巻のカートリッジを格納できることを説明したが、本実施形態を例に説明した本発明はこれに限定されない。すなわち、マガジン２００のセル奥行き方向、高さ方向、またはカラム奥行き方向にカートリッジの巻数が増減した場合、それに伴って、読み取りセンサの数量、棒状リーダ機構の数量およびスリットの数量を増減させることによっても、本実施形態は実現可能である。
【００３４】
第２の実施形態
図５（ａ）は、本発明の第２の実施形態に係るライブラリ装置１０００の斜視図である。図５（ａ）に示すように、ライブラリ装置１０００は、第１の実施形態と同様に、装置筐体１０１内に、磁気テープドライブ１０２、アクセッサ機構１０３を備える。また、ライブラリ装置１０００は、第１実施形態と同様に、読み取りセンサ５０１ａ，５０１ｂをそれぞれ搭載した棒状リーダ機構３０１ａ、３０１ｂ、および読み取りセンサ５０１ｃないし５０１ｆを備える。ライブラリ装置１０００は、また、第１実施形態と同様に、アクセッサ機構１０３および／または図示しない制御回路によりカートリッジの管理、搬送等を制御される。なお、以下の説明において、ライブラリ装置１０００は、図５（ａ）に示す如く三次元空間（Ｘ−Ｙ−Ｚ座標空間）に配置されていると仮定する。
【００３５】
ライブラリ装置１０００は、また、カートリッジ有無センサ（有無検出部）８０１ａ、８０１ｂ、８０１ｃを備える。
【００３６】
ライブラリ装置１０００には、第１の実施形態と同様にマガジン２０００が挿入される。図５（ｂ）は、ライブラリ装置１０００に挿入されるマガジン２０００の、セル奥行き方向からみた背面図である。図５（ｂ）に示すように、マガジン２０００は、ライブラリ装置１０００の背面方向の端部でカートリッジ有無センサ８０１ａ、８０１ｂ、８０１ｃと対応する位置に、穴（開口）８０２ａ、８０２ｂ、８０２ｃを備える。同様に、マガジン２０００は、背面に各カラムのカートリッジ有無センサ８０１ａ、８０１ｂ、８０１ｃの各高さに対応する位置に、穴（開口）８０３ａないし８０３ｃ、８０４ａないし８０４ｃ、８０５ａないし８０５ｃを備える。
【００３７】
カートリッジ有無センサ８０１ａ、８０１ｂ、８０１ｃは、レーザ変位計であって、マガジン２０００がライブラリ装置１０００に挿入されるとき、レーザ光を発すると共に、そのレーザ光が穴８０２ａ、８０２ｂ、８０２ｃを通過した反射光の角度に基づいて、反射物までの距離を測定する。そして、カートリッジ有無センサ８０１ａ、８０１ｂ、８０１ｃは、測定した距離に基づいて、マガジン２０００のライブラリ装置１０００背面方向の一番奥のカラムに何巻のカートリッジが格納されているかを識別する。カートリッジ有無センサ８０１ａ、８０１ｂ、８０１ｃは、識別した結果を、図示しない制御回路に通知する。
【００３８】
マガジン２０００がさらに奥に挿入されると、上記と同様に、レーザ光が穴８０３ａ、８０３ｂ、８０３ｃを通過すると共に、その反射光の角度に基づいて、カートリッジ有無センサ８０１ａ、８０１ｂ、８０１ｃは、マガジン２０００奥から２番目のカラムに何巻のカートリッジが格納されているかを識別する。以降同様に、カートリッジ有無センサ８０１ａ、８０１ｂ、８０１ｃは、マガジン２０００の奥から３番目のカラムおよびマガジン２０００の一番手前のカラムに格納されるカートリッジの巻数を識別する。そして、カートリッジ有無センサ８０１ａ、８０１ｂ、８０１ｃは、識別した結果を、図示しない制御回路に通知する。
【００３９】
なお、レーザ変位計およびレーザ光を用いた距離検出の手法自体には、現在では一般的な技術を採用できるので、本実施形態における詳細な説明は省略する。
【００４０】
ライブラリ装置１０００は、さらに、マガジンロック機構（ロック部）９０１ａ、９０１ｂ、９０１ｃを備える。マガジンロック機構９０１ａ、９０１ｂ、９０１ｃは、図５（ａ）に示すように、棒状リーダ機構３０１ａ、３０１ｂ上で、マガジン２０００が挿入された状態でカートリッジとカートリッジの間にあたる箇所に設けられる。マガジンロック機構９０１ａ、９０１ｂ、９０１ｃは、図５（ａ）に示す如くＺ方向に起立状態で設けられ、マガジン２０００が挿入されると、マガジン２０００の背面がマガジンロック機構９０１ａ、９０１ｂ、９０１ｃに当たる。したがって、マガジンロック機構９０１ａ、９０１ｂ、９０１ｃは、マガジン２０００がそれ以上奥に挿入されないようにロックするストッパの役割を持つ。
【００４１】
例えば、マガジンロック機構９０１ａ、９０１ｂ、９０１ｃが図５（ａ）の状態のときにマガジン２０００が挿入された場合、マガジン２０００はマガジンロック機構９０１ａによりロックされ、マガジンロック機構９０１ａの位置より奥には挿入されない。マガジンロック機構９０１ａ、９０１ｂ、９０１ｃは、その動作を制御回路により制御される（詳細は後述する）。
【００４２】
棒状リーダ機構３０１ａ、３０１ｂ、および読み取りセンサ５０１ｃないし５０１ｆは、上記第１の実施形態と同様の動作を行う。すなわち、マガジン２０００が挿入されると、読み取りセンサ５０１ａないし５０１ｆは、まず、マガジン２０００におけるライブラリ装置１０００の一番奥の各カラムに格納されるカートリッジに設けられた識別情報を読み出す。
【００４３】
このとき、カートリッジ有無センサ８０１ａ、８０１ｂ、８０１ｃは、マガジン２０００におけるライブラリ装置１０００の一番奥の各カラムに何巻のカートリッジが入っているかを、上記のようにレーザ光の反射光の角度に基づいて識別する。
【００４４】
読み取りセンサ５０１ａないし５０１ｆは、それぞれ読み取った識別情報を制御回路（不図示）に通知する。同様に、カートリッジ有無センサ８０１ａ、８０１ｂ、８０１ｃは、上記識別した結果を制御回路に通知する。ライブラリ装置１０００に挿入されたマガジン２０００は、マガジンロック機構９０１ａの位置で停止する。
【００４５】
上記制御回路は、受け取った識別情報と、カートリッジの巻数とに基づいて、マガジン２０００におけるライブラリ装置１０００の一番奥のカラムに格納されるカートリッジの数量と等しい数の識別情報が読み取れているかを判断する。制御回路は、読み取れていると判断した場合、マガジンロック機構９０１ａのロックを解除するように制御する。すなわち、マガジンロック機構９０１ａは、図５（ａ）に示すような起立状態から伏状態に倒れることが可能となる。これにより、ユーザがさらにマガジン２０００を押し込むと、マガジン２０００は、マガジンロック機構９０１ｂの位置まで挿入される。
【００４６】
一方、カートリッジの数量と等しい数の識別情報が読み取れていない場合、制御回路は、その旨を例えば自己が備える表示装置に表示する。これにより、ユーザは、カートリッジの識別情報の読み取りミスを検出すると共に、再読み取りの指示を出す等の対応が可能となる。
【００４７】
以降、同様に、ユーザがマガジン２０００を押し込むと、読み取りセンサ５０１ａないし５０１ｆおよびカートリッジ有無センサ８０１ａ、８０１ｂ、８０１ｃは、識別情報の読み取りおよびカートリッジの数量の識別を行う。カートリッジの識別情報がすべて正常に読み取られると、マガジン２０００はライブラリ装置１０００の奥までに完全に挿入される。
【００４８】
以上のように、本第２の実施形態によれば、ライブラリ装置１０００は、カートリッジ有無センサ８０１ａ、８０１ｂ、８０１ｃによりカートリッジの有無を識別し、制御回路により当該有無を示す情報と、読み取りセンサ５０１ａないし５０１ｆから取得した識別情報とに基づいて、識別情報の読み取りミスを検出する。制御回路は、読み取りミスを検出したことをユーザに表示することにより、ユーザにカートリッジの確認を促すことができる。したがって、上記第１の実施形態による効果に加え、識別情報が不明なカートリッジがライブラリ装置１０００に挿入されることを防ぐことができるという効果が得られる。
【００４９】
第３の実施形態
図３Ａを参照して、本発明の第３の実施形態に係るライブラリ装置について説明する。
【００５０】
図３Ａに示すように、ライブラリ装置は、第１の読み取り部５０１ｄないし５０１ｆと、第２の読み取り部３０１ａ、３０１ｂ、５０１ｃとを備える。
【００５１】
第１の読み取り部５０１ｄないし５０１ｆは、収納物を収納可能な収納口からみて奥行き方向には複数セルかつ高さ方向には複数段に亘って、収納体に収納される前記収納物に関して、当該収納物の前記収納口側に面するように、当該収納体を挿抜可能な挿抜口付近に設けられ、通過する前記収納物にそれぞれ設けられた識別情報を読み取る。
【００５２】
第２の読み取り部３０１ａ、３０１ｂ、５０１ｃは、前記収納口側よりも奥の各セルに収納される前記収納物に面するように、前記挿抜口付近に設けられ、通過する前記収納物にそれぞれ設けられた識別情報を読み取る。
【００５３】
第１の読み取り部５０１ｄないし５０１ｆは、上記第１の実施形態における読み取りセンサ５０１ｄないし５０１ｆに相当する。第２の読み取り部３０１ａ、３０１ｂ、５０１ｃは、上記第１の実施形態における棒状リーダ機構３０１ａ、３０１ｂおよび読み取りセンサ５０１ｃに相当する。
【００５４】
なお、図３Ａには、読み取りセンサ５０１ａないし５０１ｃをそれぞれ別体として図示するが、１つの読み取りセンサであってよい。読み取りセンサ５０１ｄないし５０１ｆも同様である。
【００５５】
本第３の実施形態によれば、上記構成を採用することにより、ライブラリ装置における非実働時間の短縮できる効果が得られる。
【産業上の利用可能性】
【００５６】
本発明は、例えば磁気テープを記録媒体として利用する磁気テープライブラリ装置に適用できる。ただし、記録媒体は磁気テープに限らず、光ディスク等、情報処理装置によって処理されるデータを記録可能な他の媒体であってもよい。また、記録媒体は、カートリッジに収納された形態でなくてもよい。
【００５７】
上記の実施形態の一部または全部は、以下の付記のようにも記載されうるが、以下には限られない。
【符号の説明】
【００５８】
１００、１０００  ライブラリ装置
１０１  装置筐体
１０２  磁気テープドライブ
１０３  アクセッサ機構
１０６  挿抜口
２００、２０００  マガジン
３０１ａ、３０１ｂ  棒状リーダ機構
５０１ａ、５０１ｂ、５０１ｃ、５０１ｄ、５０１ｅ、５０１ｆ  読み取りセンサ
８０１ａ、８０１ｂ、８０１ｃ  カートリッジ有無センサ
９０１ａ、９０１ｂ、９０１ｃ  マガジンロック機構
【図１】
2014146391.tif 000003
【図２】
2014146391.tif 000004
【図３Ａ】
2014146391.tif 000005
【図３Ｂ】
2014146391.tif 000006
【図４】
2014146391.tif 000007
【図５】
2014146391.tif 000008